(57)【要約】【課題】原稿の両面読取時における原稿の表面と裏面間の濃度・階調等のバラツキの発生を防止する。【解決手段】原稿の表面を読み取る第１のＣＣＤ１１１と、原稿の裏面を読み取る第２のＣＣＤ２０８と備えた両面画像読取装置にあって、第１のＣＣＤ１１１により読み取られた画像情報のシェーディング補正を行うための第１の白基準板１１２と第１のＣＣＤ１１１との光路長、及び、第２のＣＣＤ２０８により読み取られた画像情報のシェーディング補正を行うための第２の白基準板２１０と第２のＣＣＤ２０８との光路長の少なくとも何れか一方の光路長を調整可能とした。【選択図】  図１
2004193899.tif 000002
【特許請求の範囲】
【請求項１】
原稿の表面を読み取る第１の読取手段と、
前記原稿の裏面を読み取る第２の読取手段と、
前記第１の読取手段により読み取られた画像情報のシェーディング補正を行うための第１の白基準板と前記第１の読取手段との光路長、及び、前記第２の読取手段により読み取られた画像情報のシェーディング補正を行うための第２の白基準板と前記第２の読取手段との光路長の少なくとも何れか一方の光路長を調整可能な光路長調整手段とを有することを特徴とする両面画像読取装置。
【発明の詳細な説明】
【０００１】
【発明の属する技術分野】
本発明は、原稿の表面と裏面を読み取り可能な両面画像読取装置に関するものである。
【０００２】
【従来の技術】
従来の両面画像読取装置の代表的な装置として、２種類ある。特開平１−１２６８７０号公報等に開示されるように、一つは各面の画像情報を読み取る手段として、一つの読取手段と、原稿の反転手段とを持った両面読取装置がある。
【０００３】
もう一つは、特開平４−２３４２５号公報等に開示されるように、読取原稿通路の両側に光学読取部を配置することにより、原稿の両面を同時に読み取ることを可能にした両面画像読取装置である。後者の場合、二つの光学読取部がともに可動して読み取る装置と自動搬送装置（Ａｕｔｏ  Ｄｏｃｕｍｅｎｔ  Ｆｅｅｄｅｒ：以下ＡＤＦという）を搭載し、光学読取部は固定だが、原稿を移動させることにより両面を読み取る装置がある。
【０００４】
通常の両面画像読取装置では、イメージセンサ毎に、それぞれ第１、第２の白基準板を設けて、表面及び裏面用のイメージセンサ毎の出力レベルを補正する白レベル補正回路を設けて、適正濃度で読み取る補正方法が行われている。いわゆるシェーディング補正機能は通常の両面画像読取装置においても備えられているが、特別に両面の濃度補正を行う機能は設けられていない。
【０００５】
【特許文献１】
特開平１−１２６８７０号公報
【特許文献２】
特開平４−２３４２５号公報
【０００６】
【発明が解決しようとする課題】
原稿面の表面側と裏面側とにそれぞれ光学読取部を設けた両面を同時に読み取る画像読取装置は、表面、裏面の光学系の特性により個々に濃度を補正するシェーディング補正しか行われていない。すなわち、原稿の表面側と裏面側の濃度差に関しては、何ら考慮されていない。そのため、同じ白基準板を用いたとしても、フラットベットとＡＤＦ読取では、基準となる白基準板までの光路差の相違により、白レベル補正にズレが生じ、両面読取時の表面側と裏面側とで読取画像の濃度・階調がずれてしまう問題があった。
【０００７】
次に、従来の両面画像読取装置における実際の原稿読取位置と白基準板位置との位置関係を図８を用いて説明する。２０４は給紙ローラ、２０５は照射光源、２０６は反射ミラー、２１０は白基準板、２１１は排紙ローラ、６０１は用紙である。図８に示されるように、ＡＤＦを搭載する両面画像読取装置では、照射光源からみて実際の原稿読取位置は白基準板位置と比べて近くに配置される。そのため、実際の読取画像が明るく、いわゆる白とびした画像を得ることになってしまう。
【０００８】
本発明は、上記問題点に鑑みてなされたものであり、原稿の両面読取時における原稿の表面と裏面間の濃度・階調等のバラツキの発生を防止することを目的とする。
【０００９】
【課題を解決するための手段】
斯かる目的を達成するために、本発明の両面画像読取装置は、原稿の表面を読み取る第１の読取手段と、前記原稿の裏面を読み取る第２の読取手段と、前記第１の読取手段により読み取られた画像情報のシェーディング補正を行うための第１の白基準板と前記第１の読取手段との光路長、及び、前記第２の読取手段により読み取られた画像情報のシェーディング補正を行うための第２の白基準板と前記第２の読取手段との光路長の少なくとも何れか一方の光路長を調整可能な光路長調整手段とを有することを特徴とする。
【００１０】
【発明の実施の形態】
以下、本発明を適用した好適な実施形態を、添付図面を参照しながら詳細に説明する。
＜第１の実施形態＞
図１は、本発明に係る両面画像読取装置の第１〜第４の実施形態の断面構成を示した図である。図１に示すように、本実施形態の両面画像読取装置は、原稿自動搬送装置２０１を装備している。また、コンタクトガラス１０１上に載置した原稿を読み取るために、図１の矢印Ａ、Ｂ方向に移動可能な走査光学部としての第１のミラー台１０４と前記第１のミラー台１０４よりも光路下流側に配置され、同じく図１のＡ、Ｂ方向に移動可能な第２のミラー台１０８とが設けられている。
【００１１】
前記第１、第２のミラー台１０４、１０８は図示されていないレールにより、移動可能に支持され、図示しないプーリーやワイヤー等を介して図示しないステッピングモータによって駆動している。また、第１、第２のミラー台１０４、１０８は原稿面とＣＣＤ１１１との距離を常に一定保つべく２：１の速度比で所定方向に所定距離だけ移動する。
【００１２】
また、第２の反射ミラー１０５と、第３の反射ミラー１０６がサブユニット１０９上に配置されており、ミラー移動用モータ１０７の駆動によって、前記サブユニット１０９が図１のＢ方向に移動可能になり、光路長が調節可能になっている。また、サブユニット１０９は、第１のミラー台１０４が図１のＣ位置すなわち、第１の白基準板１１２を読み取る際に所定位置（図１の点線位置）にも移動可能になっている。前記所定位置（図１の点線位置）とは、第２の読取ユニット２０９で、白基準板２１０から第２のＣＣＤ２０８に至るまでの光路長と等しくなるように設定された位置である。
【００１３】
また、第２光学読取部２０９が構成されている照射光源、反射ミラー、集光レンズ、ＣＣＤは、第１の照射光源１０２と第１の反射ミラー１０３等で構成されている光学系と同一のものである。
【００１４】
第１のミラー台１０４を例にとると、読取方法としては、照射光源１０２からの光が原稿に照射され、その反射光が第１、第２、第３の反射ミラー１０３、１０５、１０６を介して、集光レンズ１１０により読取手段である第１のＣＣＤ１１１に受光するようになっている。その際、第１、第２のミラー台１０４、１０８は原稿面と第１のＣＣＤ１１１との距離を常に一定保つべく２：１の速度比で所定方向に所定距離だけ移動する。そして光電変換し、主走査方向の画像情報を得る。また、ＡＤＦにより原稿を読み取る場合は、第１、第２のミラー台１０４、１０８がＡＤＦ読取位置まで移動する。
【００１５】
次に、給紙トレイ２０２に積載された原稿を、ピックアップローラ２０３でピックアップし、給紙ローラ２０４によって原稿読取位置まで搬送しながら、第１の光源１０２または第２の光源２０５で照射し、第１のＣＣＤ１１１または第２のＣＣＤ２０８によって読みとり行い、原稿の副走査方向の画像情報を得る。その後、排紙ローラ２１１によって排紙トレイ２１２に排出される構成になっている。
【００１６】
図２は、本実施形態の第１及び第２の光学読取部の内部構成を主に示したブロック図である。第１の光学読取部４００では、ＣＣＤ３０１からの出力を一定レベルまで増幅するＡＭＰ３０２と、デジタル変換するＡ／Ｄ変換器３０３と、基準板を読み取った時の画情報を読込むＲＡＭ３０５と、主走査方向の濃度バラツキを補正するシェーディング補正部３０４と、各部を制御するＣＰＵ３０６で構成される。
【００１７】
第２の光学読取部４００は、ＣＣＤ４０１からの出力を一定レベルまで増幅するＡＭＰ４０２と、デジタル変換するＡ／Ｄ変換器４０３と、基準板を読み取った時の画情報を読込むＲＡＭ４０５と、主走査方向の濃度バラツキを補正するシェーディング補正部４０４と、各部を制御するＣＰＵ４０６で構成されている。
【００１８】
ＣＰＵ５０１は、両光学読取部のＡＭＰ３０２、４０２にアクセスでき、各アンプのゲイン設定を変更する機能と、各白基準板読取時のデジタル出力値を比較して、ゲインを再計算しゲインを再設定する機能と、そのゲイン設定の比を記憶するＲＡＭ５０２を備えている。
【００１９】
次に、本発明の第１の実施形態の両面画像読取装置の動作について説明する。図３は、本実施形態の両面画像読取装置の動作を示したフローチャートである。ステップＳ１０１は電源が投入され、スタンバイ状態になっているとする。ステップＳ１０２では、ＡＤＦ読取開始コマンドまたは両面読取コマンドが入力されるか検知する。ステップＳ１０３では、キャリブレーションを開始し、第１、第２のミラー台１０４、１０８は第１の白基準板１１２の読取及び第２の光学読取部２０９による第２の白基準板２１０の読取を開始し、ステップＳ１０４でゲイン設定する。また、第１の白基準板１１２を読み取る際に、サブユニット１０９が実線位置と点線位置にある場合の二つの光路長において白補正を行なう。
【００２０】
ここで、説明のため次のように仮定する。サブユニット１０９が実線位置にあるときに、第１の照射光源１０２から白基準板１１２に照射された反射光が第１のＣＣＤ１１１に結像されたときのデジタル出力レベルをＤとし、同様にサブユニット１０９が点線位置に移動したときのデジタル出力レベルをＥとする。また、第２の光学読取部２０９で第２の白基準板２１０を読み込んだ時のデジタル出力レベルをＦとする。
【００２１】
ステップＳ１０５では、デジタル出力レベルＥとＦが等しいか比較する。出力が異なる場合は、ステップＳ１０６に進み、ゲインを再設定する。ここでは、Ｅ＝Ｆとなるように、ＣＰＵ５０１で第２の光学読取部２０９側のゲインを計算し、第２の光学読取部２０９内のアンプ４０２にフィードバックし、設定値に変更を加える。また、ゲイン設定比を読取終了までＲＡＭ５０２に記憶しておく。この補正により、原稿の表裏読取光学系におけるそれぞれの白基準板からの光路長を同一に調節した際のデジタル出力値を一致させ、各光学読取部のバラツキを吸収することが可能になる。つまり、シェーディング補正時にＲＡＭ３０５、４０５に記憶された値から、ＣＰＵ５０１でＥ／Ｆを求めておく。また、その読取出力比Ｅ／Ｆを再キャリブレーションまでＲＡＭ５０２に記憶しておき、ＣＰＵ５０１から各光学読取部のバラツキ量Ｆ／Ｅを補正できるように、ＡＭＰ４０２にフィードバックしてゲインを再設定する。
【００２２】
一方、ＥとＦが等しい場合は、ステップＳ１０７に進む。第２の光学読取部２０９で読み取る場合、第２の白基準板２１０までの光路長と、原稿までの光路長が異なることによるズレが発生する。そのため、光源からの原稿読取位置が、第２の白基準板２１０より近くにあるので、原稿読取時の方が明るく読み取ることになる。ステップＳ１０７では、第２の白基準板２１０までの光路長の差によるデジタル出力値の違いを補正するため、ゲインを再び設定し直す。
【００２３】
同時に、ステップＳ１０８にてステップＳ１０７のゲイン設定比を記憶しておく。つまり、ステップＳ１０７、１０８では、第１、第２のミラー台１０４、１０８で構成される第１の光学読取部において、ミラー移動させることによって、光路長を変化させ、そのときのデジタル出力の変化量をＣＰＵ５０１でゲイン設定値に換算し、そのゲイン設定比をＲＡＭ５０２に記憶する。また、この光路長の変化量は、ＡＤＦ側の第２の光学読取部２０９において、実際の読取位置と、白基準板位置とのズレによる光路長の変化量と等しく設定されている。これにより、ステップＳ１０８にて記憶したゲイン設定比において、ＡＤＦ側の実際の読取位置と、白基準板との光路長のズレを補正可能となる。尚、キャリブレーションは、白基準板上のごみや汚れを考慮し、複数ライン読み取り、最大及び最小値を無視し、その他のデータの平均値を補正データとして用いるのが望ましい。
【００２４】
次にキャリブレーションが終わり、ステップＳ１０９に進み、原稿の搬送及び読取が開始する。ステップＳ１１０では、ステップＳ１０８で記憶したゲイン比を考慮し、ゲインを設定する。ここでは、ＣＰＵ５０１から、各読取光学ユニットのバラツキ分Ｅ／Ｆと光路長のズレ分Ｄ／Ｅを合わせてＡＭＰ４０２にフィードバックし、ゲインを再設定する。デジタル値がＥ／Ｆ及びＤ／Ｅ倍するためにそれぞれゲインを（Ｅ／Ｆ）’及び（Ｄ／Ｅ）’倍する必要があるとすると、ステップＳ１１０では、つまり通常のゲイン設定値に対して、（Ｅ／Ｆ）’×（Ｄ／Ｅ）’倍してゲインを再設定する。ステップＳ１１１で読取の終了が確認すれば、スタンバイ状態にもどる。
【００２５】
以上により、光路長のズレや読取光学ユニット（光源・ＣＣＤ  ｅｔｃ）のバラツキを考慮した補正が可能となり、両面原稿の濃度・階調のズレをなくすことが可能になる。
【００２６】
＜第２の実施形態＞
次に、本発明の第２の実施形態について説明する。図４は、本発明の第２の実施形態の第１及び第２の光学読取部の構成を主に示したブロック図である。
ここでは、第１の実施形態と異なるＣＰＵ５０１の機能についてだけ述べる。本実施形態においては、ＣＰＵ５０１は、両光学読取部３００、４００のＡ／Ｄ変換部３０３、４０３にアクセスでき、各Ａ／Ｄ変換器３０３、４０３のデジタル変換値を演算する機能と、白補正時のデジタル出力比を比較し、その比を計算する機能と、その比を記憶するＲＡＭ５０２を備えている点である。
【００２７】
ここでも第１の実施形態の説明と同様に次のように仮定する。サブユニット１０９が実線位置にあるときに、第１の照射光源１０２から第１の白基準板１１２に照射された反射光が第１のＣＣＤ１１１に結像されたときのデジタル出力レベルをＤとし、同様にサブユニット１０９が点線位置に移動したときのデジタル出力レベルをＥとする。また、第２の光学読取部２０９で第２の白基準板２１０を読み込んだ時のデジタル出力レベルをＦとする。
【００２８】
まず、光学読取部３００、４００間のバラツキ分であるＥ／Ｆ、及び、ＡＤＦ読取の場合での白基準板とＣＣＤ２０８までの光路長差の補正量Ｄ／ＥをＣＰＵ５０１から第２の光学読取部のＡ／Ｄ変換値にフィードバックをかけ、デジタル演算する。
【００２９】
次に、本発明の第２の実施形態の動作について説明する。図５は、本実施形態の動作を示したフローチャートである。
第１の実施形態と同様に、まず、ステップＳ２０１は電源が投入され、スタンバイ状態になっているとする。ステップＳ２０２では、ＡＤＦ読取開始コマンドまたは両面読取コマンドが入力されるか検知する。ステップＳ２０３では、キャリブレーションを開始し、白基準板の読取を開始する。
【００３０】
ステップＳ２０４では、各ＣＣＤ３０１、４０１からのアナログ出力をデジタル変換する。例えば、８Ｂｉｔとなら０から２５５に、１０Ｂｉｔなら０〜１０２３までの値に変換される。ステップＳ２０５では、読取出力ＥとＦが等しいか比較を行う。もし、異なる場合は、ステップＳ２０６に進み、Ｅ／ＦをＣＰＵ５０１で計算し、再キャリブレーションまでＲＡＭ５０２に記憶しておく。
【００３１】
次に、光学読取部部３００、４００のバラツキを補正するのに、先ほど記憶したユニットバラツキ量Ｅ／Ｆを光学読取部３００、４００内のＡ／Ｄ変換したデジタル値にフィードバックを加える。つまり、実際に原稿を読み取っている際に、第２の光学読取部４００で読み込んだアナログ出力を、デジタル値にＡ／Ｄ変換し、その値にＥ／Ｆ倍して真のデジタル値にしてあげればよい。
【００３２】
次に、白基準板とＣＣＤ４０１までの光路長が異なるために、第２の光学読取部２０９で読み取った画像が明るくなる（白とびする）ことを補正する。まず、ステップＳ２０７では、フラットベットと同じ明るさになるよう補正値を決定する。そのため、第１の実施形態と同様に、ミラーを移動させ、異なる光路長における白基準板の読取出力比Ｄ／ＥをＣＰＵ５０１で計算し、ステップＳ２０８でＲＡＭ５０２に記憶しキャリブレーションを終了する。
【００３３】
キャリブレーションが終了すれば、ステップＳ２０９に進み原稿搬送しはじめ、読取が開始される。ステップＳ２１０では、読取アナログ出力のデジタル変換を行ない、ステップＳ２１１ではユニットのバラツキ及び光路長の違いをステップＳ２０８で記憶した演算値をもとに補正する。ここでは、ステップＳ２０８で記憶したＥ／Ｆ、Ｄ／Ｅに基づき、Ｅ／Ｆ×Ｄ／Ｅ＝Ｄ／Ｆ倍するようにＣＰＵ５０１から補正を行なう。ステップＳ２１２で読取が終了したことを検知し終了すれば、ステップＳ２０２に戻り、再びＡＤＦ読取開始の入力待ちする。
【００３４】
＜第３の実施形態＞
次に、本発明の第３の実施形態について説明する。両面画像読取装置には、原稿の表面と裏面を読み取るための二つの光学読取部を有し、各光学読取部で得られた表面及び裏面の各画像読取信号を、一つの画像処理部でシェーディング補正等の信号処理する構成の両面画像読取装置も存在する。上記のような両面画像読取装置に適用した本発明の第３の実施形態の構成を図６のブロック図に示す。
【００３５】
第１の光学読取部３００には、第１のＣＣＤ３０１、ＡＭ３０２、Ａ／Ｄ変換器３０３、及び、それらを駆動する回路（図示せず）が含まれている。同様に、第２の光学読取部４００には、第２のＣＣＤ４０１、ＡＭＰ４０２、Ａ／Ｄ変換器４０３、及び、それらを駆動する回路（図示せず）が含まれている。
【００３６】
画像処理部５００には、第１の光学読取部３００及び第２の光学読取部４００と本画像処理部５００の制御を行なうＣＰＵ５０１、画像情報を記憶するＲＡＭ５０２、及び、シェーディング補正等を行なう信号処理部５０３で構成される。ＣＰＵ５０１は、各光学読取部３００、４００のゲイン設定を自由に変更できる。また、画像処理部５００にはセレクタ（図示せず）があり、セレクタは各光学読取部３００、４００からの画像読取信号を１ライン毎交互に出力する構成になっている。
【００３７】
両面補正方法は、上記第１の実施形態と同様の処理にて行なう。すなわち、ＣＰＵ５０１により、シェーディング補正後のデジタル値をもとに、各光学読取部３００、４００のＡＭＰ３０２、４０２のゲイン設定を変更できるようになっており、照射光源やＣＣＤ等のバラツキ及び、白基準板までの光路長のズレをゲイン設定によって吸収し両面補正を行なう。
【００３８】
＜第４の実施形態＞
次に、本発明の第４の実施形態について説明する。図７は、本実施形態の構成を示したブロック図である。本実施形態は、図７に示されるように、上記第３の実施形態と同様に原稿の表面と裏面を読み取るための２つの光学読取部３００、４００を有し、各光学読取部３００、４００で得られた表面及び裏面の各画像読取信号を、１つの画像処理部５００でシェーディング補正等の信号処理する構成になっている。
【００３９】
第１の光学読取部３００には、第１のＣＣＤ３０１、ＡＭＰ３０２、Ａ／Ｄ変換器３０３、及び、それらを駆動する回路（図示せず）が含まれている。同様に、第２の光学読取部４００には、第２のＣＣＤ４０１、ＡＭＰ４０２、Ａ／Ｄ変換器４０３、及び、それらを駆動する回路（図示せず）が含まれている。画像処理部５００には、第１の光学読取部３００及び第２の光学読取部４００と本画像処理部５００の制御を行なうＣＰＵ５０１、画像情報を記憶するＲＡＭ５０２、及び、シェーディング補正等を行なう信号処理部５０３で構成される。ＣＰＵ５０１は、各光学読取部３００、４００のＡ／Ｄ変換後のデジタル値にアクセスし、演算できる。また、画像処理部５００にはセレクタ（図示せず）があり、セレクタは各光学読取部３００、４００からの画像読取信号を１ライン毎交互に出力する構成になっている。
【００４０】
両面補正方法は、上記第２の実施形態と同様の処理を行なう。すなわち、ＣＰＵ５０１により、シェーディング補正後のデジタル値をもとに、各光学読取部３００、４００でのＡ／Ｄ変換値に演算できるようになっており、照射光源やＣＣＤ等のバラツキ及び、白基準板までの光路長のズレをデジタル演算によって吸収し両面補正を行なう。
【００４１】
従来の両面画像読取装置は、原稿の表面及び裏面を読み取る第１及び第２の光学読取部に対して同じ白基準板を用いたとしても、光源やＣＣＤ等の読取手段のバラツキをはじめとした光学読取部のバラツキ、及びフラットベットとＡＤＦ読み取りでは、基準となる白基準板までの光路差の相違により、白レベル補正にズレが生じ、両面読み取り時の表面側と裏面側とで読み取り画像の濃度・階調がずれてしまう問題があった。これに対して、本発明の各実施形態によれば、両面同時読取可能な読取装置において、白基準板から読取手段までに至るまでの反射ミラーに移動機構を設けたこと、及び各読取光学系のデジタル出力値を補正する補正機能を設けたため、両面読取時の原稿両面の濃度・階調等のバラツキのない両面同時読取装置を提供することができる。
【００４２】
＜その他の実施形態＞
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４３】
この場合、記憶媒体から読み出されたプログラムコード自体が前述した実施形態の機能を実現することになり、プログラムコード自体及びそのプログラムコードを記憶した記憶媒体は本発明を構成することになる。
【００４４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４５】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００４６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４７】
ここで、本発明の実施態様を以下に列挙する。
［実施態様１］原稿の表面を読み取る第１の読取手段と、
前記原稿の裏面を読み取る第２の読取手段と、
前記第１の読取手段により読み取られた画像情報のシェーディング補正を行うための第１の白基準板と前記第１の読取手段との光路長、及び、前記第２の読取手段により読み取られた画像情報のシェーディング補正を行うための第２の白基準板と前記第２の読取手段との光路長の少なくとも何れか一方の光路長を調整可能な光路長調整手段とを有することを特徴とする両面画像読取装置。
【００４８】
［実施態様２］前記第１の白基準板からの反射光を前記第１の読取手段に反射到達させるための一又は複数の第１の反射ミラーと、
前記第２の白基準板からの反射光を前記第２の読取手段に反射到達させるための一又は複数の第２の反射ミラーとを含み、
前記光路長調整手段は、前記第１の反射ミラー及び第２の反射ミラーの少なくとも何れか一方を駆動させることにより光路長を調整することを特徴とする実施態様１に記載の両面画像読取装置。
【００４９】
［実施態様３］前記第１の読取手段による前記第１の白基準板の読み取り結果と、前記第２の読取手段による前記第２の白基準板の読み取り結果とを比較する比較手段と、
前記比較手段による比較結果に応じて、前記第１の読取手段から出力される画像情報及び前記第２の読取手段から出力される画像情報の少なくとも何れか一方を補正する補正手段とを更に有することを特徴とする実施態様１に記載の両面画像読取装置。
【００５０】
［実施態様４］原稿の表面を読み取る第１の読取手段と、前記原稿の裏面を読み取る第２の読取手段とを有する両面画像読取装置の制御方法であって、
前記第１の読取手段により読み取られた画像情報のシェーディング補正を行うための第１の白基準板と前記第１の読取手段との光路長、及び、前記第２の読取手段により読み取られた画像情報のシェーディング補正を行うための第２の白基準板と前記第２の読取手段との光路長の少なくとも何れか一方の光路長の調整を光路長調整手段により制御することを特徴とする両面画像読取装置の制御方法。
【００５１】
［実施態様５］実施態様４に記載の両面画像読取装置の制御方法をコンピュータに実行させるためのプログラム。
【００５２】
［実施態様６］実施態様５に記載のプログラムを記録したコンピュータ読み取り可能な記録媒体。
【００５３】
【発明の効果】
本発明によれば、第１の白基準板と第１の読取手段との光路長と、第２の白基準板と第２の読取手段との光路差とを調整可能に構成することにより、原稿の両面読取時における原稿の表面と裏面間の濃度・階調等のバラツキの発生を防止することができる。
【図面の簡単な説明】
【図１】本発明に係る両面画像読取装置の第１〜第４の実施形態の断面構成を示した図である。
【図２】本発明の第１の実施形態の第１及び第２の光学読取部の内部構成を主に示したブロック図である。
【図３】本発明の第１の実施形態の両面画像読取装置の動作を示したフローチャートである。
【図４】本発明の第２の実施形態の第１及び第２の光学読取部の構成を主に示したブロック図である。
【図５】本発明の第２の実施形態の両面画像読取装置の動作を示したフローチャートである。
【図６】本発明の第３の実施形態の構成を示したブロック図である。
【図７】本発明の第４の実施形態の構成を示したブロック図である。
【図８】従来の両面画像読取装置における実際の原稿読取位置と白基準板位置との関係を説明するための図である。
【符号の説明】
１０１  プラテンガラス
１０２  第１の照射光源
１０３  第１の反射ミラー
１０４  第１のミラー台
１０５、２０６  第２の反射ミラー
１０６  第３の反射ミラー
１０７  ミラー移動用モータ
１０８  第２のミラー台
１０９  サブユニット
１１０  第１の集光レンズ
１１１、３０１  第１のＣＣＤ
１１２  第１の白基準板
２０１  自動搬送装置（Ａｕｔｏ  Ｄｏｃｕｍｅｎｔ  Ｆｅｅｄｅｒ：ＡＤＦ）
２０２  給紙トレイ
２０３  ピックアップローラ
２０４  給紙ローラ
２０５  第２の照射光源
２０７  第２の集光レンズ
２０８、４０１  第２のＣＣＤ
２０９、４００  第２の光学読取部
２１０  第２の白基準板
２１１  排紙ローラ
２１２  排紙トレイ
２１３  原稿
３００  第１の光学読取部
３０２、４０２  ＡＭＰ
３０３、４０３  Ａ／Ｄ変換回路
３０４、４０４  シェーディング補正回路
３０５、４０５  シェーディング補正用メモリ
３０６、４０６、５０１  ＣＰＵ
５００  画像処理部
５０２  相関関係記憶用メモリ
５０３  信号処理部
【図１】
2004193899.tif 000003
【図２】
2004193899.tif 000004
【図３】
2004193899.tif 000005
【図４】
2004193899.tif 000006
【図５】
2004193899.tif 000007
【図６】
2004193899.tif 000008
【図７】
2004193899.tif 000009
【図８】
2004193899.tif 000010